(57)【要約】【課題】口や鼻からの飛沫を遮断するために着用するマスクであって、構造が簡単で、装着、脱着も簡単にできる樹脂マスクを提供する。【解決手段】口や鼻からの飛沫を遮断するために着用するマスクであって、ナス形ないしはＵ字形に湾曲成型された横長の形状復元力を有する樹脂シートからなり、シートの両端内側が頬への密着装着部であり、シート本体が口と鼻の前方に装着される飛沫遮断部であることを特徴とする樹脂マスク。【選択図】図１
0003169951.tif 000002
【実用新案登録請求の範囲】
【請求項１】
口や鼻からの飛沫を遮断するために着用するマスクであって、ナス形ないしはＵ字形に湾曲成型された横長の形状復元力を有する樹脂シートからなり、該樹脂シートの両端内側が頬への密着装着部であり、樹脂シート本体が口と鼻の前方に装着される飛沫遮断部であることを特徴とする樹脂マスク。
【請求項２】
前記樹脂シートの両端に、内側方向に切り曲げられた舌状部が設けられ、該舌状部が頬への密着装着部となることを特徴とする請求項1に記載の樹脂マスク。
【請求項３】
頬への密着装着部に軟質材料からなる滑り止め材が設けられていることを特徴とする請求項１または２に記載の樹脂マスク。
【請求項４】
樹脂シートが透明であることを特徴とする請求項１〜３のいずれか一項に記載の樹脂マスク。
【請求項５】
軟質材料が軟質ゴムまたは軟質スポンジであることを特徴とする請求項３または４に記載の樹脂マスク。
【考案の詳細な説明】
【技術分野】
【０００１】
本考案は、会話やくしゃみ、咳などにより発生する唾液など鼻や口からの飛沫を遮断するために着用する衛生マスクに関する。
【背景技術】
【０００２】
食品の製造や販売、理美容室、病院などにおいては、鼻や口などの呼吸器からの発生する飛沫を遮断するために、従業員、医師、看護師などは衛生マスクを着用し、衛生面での配慮を行っている。しかしながら、通常の衛生マスクはガーゼや不織布を鼻や口に密着して覆うため、着用者にとっては呼吸や会話の邪魔になり、不便を感ずるものであった。さらには、着用者の顔が隠され、表情が確認できなかったり、風邪などの病人をイメージされたりして、相手に不快感を与えることもあった。
【０００３】
このような、着用者にとっての不便を解消するために、合成樹脂製のカバーを鼻や口から離して装着し、発生する飛沫を遮断するマスクが販売されている。図７に示すように、この既存樹脂マスク４において、飛沫を遮断する合成樹脂製のカバー４０は、別途に合成樹脂により作成されたＵ型のボディー４１に取り付けられ、このボディーを伸縮性のある紐４２により耳に掛けることで、カバー４０が鼻や口の前方に装着できるものである。この構造のマスクは特許文献１にも示されている。
【０００４】
このマスクでは、カバー４０を鼻や口から離して着用できるため、呼吸や会話に不便さがなく便利なものである。しかしながら、その構造はカバー４０と、このカバー４０を保持するために別個に成形したボディー４１や耳に掛ける紐４２などからなっており、衛生マスクとしては簡易な構造ではない。
【先行技術文献】
【特許文献】
【０００５】
【特許文献１】特表２０１１−５００２６２号公報
【考案の概要】
【考案が解決しようとする課題】
【０００６】
本考案の課題は、口や鼻からの飛沫を遮断するために着用するマスクであって、構造が簡単で、装着、脱着も簡単にできる樹脂マスクを提供することである。
【課題を解決するための手段】
【０００７】
本考案の樹脂マスクは、口や鼻からの飛沫を遮断するために着用するマスクであって、ナス形ないしはＵ字形に湾曲成型された横長の形状復元力を有する樹脂シートからなり、該樹脂シートの両端内側が頬への密着装着部であり、樹脂シート本体が口と鼻の前方に装着される飛沫遮断部であることを特徴とする。
【０００８】
前記形状復元力を有するとは、樹脂シートを屈曲させても、折り曲げるなど極端な変形をさせない限り、元の形状に戻りうる弾性力を有することであり、前記樹脂マスクは、湾曲成型された樹脂シートの両端を押し広げても、力を緩めれば元の湾曲した形状に戻ることができる。そのため、樹脂シートの両端を押し広げて、両端内側で両頬を挟むことで、樹脂シートの弾性力により樹脂シート本体を口と鼻の前方に装着でき、樹脂マスクを着用することができる。
【０００９】
さらに、前記樹脂マスクとしては、前記樹脂シートの両端に、内側方向に切り曲げられた舌状部が設けられ、該舌状部が頬への密着装着部となるマスク、そして頬への密着装着部に軟質材料からなる滑り止め材が設けられているマスクが好ましく、樹脂シートが透明であり、軟質材料が軟質ゴムまたは軟質スポンジであることが好ましい。
【考案の効果】
【００１０】
本考案の樹脂マスクは、上記のように簡単な構造であり、製造も樹脂シートを定形に切断し、湾曲成型する工程で簡単にできる。そして、両手で樹脂シートの両端を押し広げ頬を挟みこむことで、装着、脱着も簡単にできる。特に、樹脂シートの両端に舌状部を設けたり、滑り止め材を設けたりすることでマスクの着用が一層容易にかつ確実にできる。その上、既存のマスクは耳に掛けるため、メガネや補聴器の使用者にとっては不便であったが、本考案の樹脂マスクの着用は両頬を挟みこむだけでよく、このような不便はない。
【００１１】
また、本考案の樹脂マスクでは、飛沫遮断部の樹脂シート本体と鼻や口との間に空間を保有できるため、着用者は会話や呼吸に不便を感ずることがない。さらには、樹脂シートを透明にすることで、着用者の表情を相手が確認でき、従来の一般のマスクのように顔が隠されたり、風邪などの病人をイメージされたりすることがない。そのため、この樹脂マスクは相手に良好なイメージを与えることができ、スーパー、デパート、菓子店、食品店などの食品売り場、理美容室、エステ、病院、食品工場などで好ましく使用することができる。
【図面の簡単な説明】
【００１２】
【図１】本考案の樹脂マスクの斜視図である。
【図２】本考案の樹脂マスクの上面図である。
【図３】本考案の樹脂マスクの着用説明図である。
【図４】舌状部を設けた本考案の樹脂マスクの斜視図である。
【図５】舌状部を設けた本考案の樹脂マスクの上面図である。
【図６】舌状部を設けた本考案の樹脂マスクの着用説明図である。
【図７】既存の樹脂マスクの斜視図である。
【考案を実施するための形態】
【００１３】
以下実施例の図に基づき、本考案の樹脂マスクについて詳細に説明を行う。
【００１４】
図１は本考案の樹脂マスク１の斜視図であり、横長の樹脂シートをナス形に湾曲成型した樹脂シート本体１０と、この樹脂シートの両端内側に設けられた滑り止め材１１とからなっている。この樹脂シート本体１０を構成している樹脂シートは弾性力を有しており、図２に示すように矢印の方向に、樹脂シート本体１０を外側に向けて手で押し広げれば、鎖線で示すように広げることができ、そして、力を緩めれば元の実線で示す形状に戻る形状復元力を有している。
【００１５】
図３はこの樹脂マスク１と着用者３の頭部の断面図であり、樹脂マスク１を着用者３の頬３１に装着した状態を示している。樹脂マスク１の樹脂シート本体１０を押し広げて両頬を挟みこみ、シートの両端内側に設けられた滑り止め材１１を頬３１に密着装着させて、樹脂マスク１を着用している。この滑り止め材１１が設けられてなくとも、樹脂シートが有する形状復元力により、頬に密着装着することができるが、滑り止め材１１が設けられていると安定して装着でき、樹脂マスク１をしっかりと着用することができる。この着用に際しては、図３に示すように、樹脂シート本体１０を口（図示せず）と鼻３４とから離し、空間を置いて前方に装着することができる。
【００１６】
滑り止め材１１の材質は、軟質ゴムまたは軟質スポンジ、あるいはネル(フランネル)やフェルトなどの織布または不織布などの軟質材料を用いることができるが、特に軟質ゴムや軟質スポンジが好ましく、軟質の天然ゴムまたは各種の合成ゴムのシート、あるいは天然スポンジまたはウレタン樹脂などの合成ゴムスポンジを用いることができる。
【００１７】
図４および５には、樹脂シートの両端に、内側方向に切り曲げられた舌状部２２が設けられた樹脂マスク２を示し、図４は斜視図であり、図５はその上面図である。。この樹脂マスク２は、前記した樹脂マスク1と同様に、樹脂シート本体２０を押し広げて頬を挟み込むことにより、樹脂マスク２を着用できるが、図6に示すように、舌状部２２が頬への密着装着部となり、頬により密着し易くなっている。本図では、右頬３２には舌状部２２が直接密着した状態を示し、左頬３３では滑り止め材２１が舌状部２２に設けられており、この滑り止め材２１が頬に密着した状態を示している。本図では説明のために、左右で異なる形態を示したが、実際には滑り止め材２１の有無は左右で統一されている。
【００１８】
以上説明した、樹脂マスクはいずれも横長の樹脂シートをナス形に湾曲成型した例を示したが、Ｕ字形に湾曲成型したものでもかまわないことは、以上の説明より明らかである。横長シートの面形状は特に限定されないが、頬に装着して、口や鼻を遮断するマスクとしての外観より、図で示したような横長の長楕円ないしは角を丸めた菱形に近い面形状が好ましく、このような面形状の横長シートを湾曲成型して樹脂マスクとする
【００１９】
本考案の樹脂マスクに用いられる樹脂シートとしては、各種の合成樹脂を使用することができる。例えば、ポリ塩化ビニル、ポリスチレン、ポリカーボネート、ポリエチレンテレフタレート、アクリル樹脂、ポリプロピレン、ポリエチレン、酢酸セルロース、セルロイドなどの熱可塑性合成樹脂を用いることにより、好ましい形状復元力のある樹脂シートとなる。シートの好ましい厚さは使用する合成樹脂の種類により、好ましい範囲は多少異なるが、０．２〜１．０ｍｍ、より好ましくは０．３〜０．８ｍｍの範囲のシートが好ましく用いられる。
【００２０】
上記のような熱可塑性合成樹脂を押出成型などにより成型し、横長シートの形状に断裁し、熱を加えながら、ナス形ないしはＵ字形に湾曲成型し、必要に応じてその両端に滑り止め材を設けることで、本考案の樹脂マスクを製作することができる。上記のような熱可塑性樹脂は、真空成型や加圧成型などにより、軟化温度以上に加熱して湾曲し、そのまま冷却することで、加熱時の湾曲形状をそのまま維持し、常温では形状復元力となる弾性力を有する湾曲樹脂シートとすることができる。さらには、前記の樹脂は、透明な樹脂シートが得られ、着色も顔料を加えることで簡単にできるため、透明なマスクも着色したマスクも自由に製作することができる。
【００２１】
樹脂シートの両端に設けられる舌状部は、舌状に切込みを入れ、内側に折り曲げることで設けられる。この場合に、折り目を入れるように折り曲げれば、その部分ではシートの弾性限界を超えるため、元に戻ることのないように折り曲げることができる。また、この場合に折り曲げ部を加熱して、折り曲げてそのまま冷却することも有効な加工手段である。
【産業上の利用可能性】
【００２２】
以上説明したように、本考案のマスクは装着、脱着が簡単で、さらにはその構造も図７に示した既存の樹脂マスク４と比べても簡単であるため、前記したような、食品の製造や販売、理美容室、病院などだけでなく、その他の顧客と対面する業務にも幅広く用いることができる。
【符号の説明】
【００２３】
１      樹脂マスク
１０    樹脂シート本体（飛沫遮断部）
１１    すべり止め材
２      舌状部付樹脂マスク
２０    樹脂シート本体(飛沫遮断部)
２１    滑り止め材
２２    舌状部
３      着用者
３１    頬
３２    右頬
３３    左頬
３４    鼻
４      既存樹脂マスク
４０    カバー
４１    ボディー
４２    紐
４３    顎当て
【図１】
0003169951.tif 000003
【図２】
0003169951.tif 000004
【図３】
0003169951.tif 000005
【図４】
0003169951.tif 000006
【図５】
0003169951.tif 000007
【図６】
0003169951.tif 000008
【図７】
0003169951.tif 000009